(57)【要約】【課題】  警報内容を基板前面から文字で判読出来、迅速な保守対応が可能な組込基板、およびその表示制御方法を提供する。【解決手段】  警報表示を文字によるメッセージとして前面パネル２の文字表示板２１に表示することにより、専門性を持った保守者でなくても警報内容が容易に判読でき迅速な保守対応が可能な組込基板が提供できる。また文字表示板２１にメッセージを記憶表示させることにより組込基板の修理返送先でメッセージを判読することにより容易に故障分離が出来るので迅速な保守対応が可能になる。【選択図】  図１
2006053699.tif 000002
【特許請求の範囲】
【請求項１】
シェルフに収納される組込基板であって、
前記組込基板は、
メモリと、
自基板の動作の自己診断を行い、前記動作のモニタデータを出力して前記メモリに書き込み記憶する自己診断手段と、
前記モニタデータを受信して短文のメッセージを生成して出力する文字表示処理手段と、
前記メッセージを受信して前記シェルフに収容された自基板の前面に表示する文字表示手段と
を有することを特徴とする組込基板。
【請求項２】
前記組込基板は、
バックアップ電源と記憶表示型の文字表示素子のうち少なくともいずれか１つを有して自基板へ電源が供給されなくなっても前記文字表示手段に表示される前記メッセージを記憶表示する記憶表示手段を備えることを特徴とする請求項１に記載の組込基板。
【請求項３】
前記記憶表示手段は、
前記文字表示素子に記憶表示型のコレステリック液晶を用いていることを特徴とする請求項２に記載の組込基板。
【請求項４】
前記組込基板は、
前記文字表示手段が前記メッセージの代わりに前記記憶表示するコメントの文字の入力手段を備えることを特徴とする請求項２に記載の組込基板。
【請求項５】
前記組込基板は、
前記メモリから前記記憶されたモニタデータを読み出して前記文字表示手段が継続して前記記憶表示する警報情報として選択するデータ選択コマンドの入力手段と
を備えることを特徴とする請求項２に記載の組込基板。
【請求項６】
前記自己診断手段は、
前記モニタデータを正常レベルと、注意レベル、および処置が必要な警報レベルのアラームとに分類して所定の周期で出力し、
前記文字表示処理手段は、
前記正常レベルのモニタデータ、又は、前記注意レベルのアラームのモニタデータを受信した場合、所定の周期で前記メッセージの表示を更新し、
前記警報レベルのアラームのモニタデータを受信した場合、前記メッセージの表示の更新をしないで、最初に受信した前記警報レベルのアラームのモニタデータから生成したメッセージを保持して前記記憶表示することを特徴とする請求項２に記載の組込基板。
【請求項７】
シェルフに収納される組込基板において、
前記組込基板は、
メモリと、
自基板の動作の自己診断を行い、前記メモリに前記動作のモニタデータを書き込み記憶すると共に、前記モニタデータを正常レベルと、注意レベル、および警報レベルのアラームとのモニタデータとに分類して所定の周期で出力する自己診断手段と、
前記自己診断手段に接続され、前記出力された各モニタデータを受信して短文のメッセージを生成し、前記メッセージの上書きモードと保持モードとのモード設定手段を有し、前記モード設定手段が前記保持モードに設定された場合、前記出力された前記正常レベルのモニタデータ、又は、前記注意レベルのアラームのモニタデータを受信した時、所定の周期で前記メッセージを更新して出力し、前記警報レベルのアラームのモニタデータを受信した時、それ以降の前記メッセージを更新しないで最初に受信した前記警報レベルのアラームのモニタデータから生成したメッセージを保持して出力し、前記モード設定手段が前記上書きモードに設定された場合、順次前記出力された前記警報レベルのアラームのモニタデータを受信した時、順次前記警報のメッセージを生成して出力する文字表示処理手段と、
前記文字表示処理手段に接続され、前記出力されたメッセージを受信して前記シェルフに収容された状態で自基板の前面に前記受信したメッセージを表示する文字表示手段と、
バックアップ電源と記憶表示型の文字表示素子のうち少なくともいずれか１つを備えることにより、自基板へ電源が供給されなくなっても前記文字表示手段に前記表示された前記メッセージを記憶表示する記憶表示手段と
を具備することを特徴とする組込型基板。
【請求項８】
シェルフに収納される組込基板のモニタ表示方法であって、
前記組込基板は、
メモリと、自己診断手段と、文字表示処理手段と、文字表示手段と、記憶表示手段とを備え、
前記自己診断手段は、
自基板の動作の自己診断を行い、前記動作のモニタデータを前記メモリに書き込み記憶するとともに文字表示処理手段へ出力し、
文字表示処理手段は、前記モニタデータを受信して短文のメッセージを生成して文字表示手段へ出力し、
前記組込基板が前記シェルフに収容された状態において前面に配置された文字表示手段は、前記出力されたメッセージを受信して前面へ表示し、
自基板がバックアップ電源、又は、前記文字表示手段に記憶表示型の文字表示素子のうち少なくともいずれか１つを記憶表示手段として備え、自基板へ電源が供給されなくなっても、前記文字表示手段に表示される前記メッセージを記憶表示することを特徴とする組込基板のモニタ表示方法。
【請求項９】
前記組込基板は、
前記文字表示手段が前記メッセージの代わりに前記記憶表示するコメントの文字の入力手段を備えることを特徴とする請求項８に記載の組込基板のモニタ表示方法。
【請求項１０】
前記組込基板は、
前記メモリから前記記憶されたモニタデータを読み出して前記文字表示手段が継続して前記記憶表示する警報情報として選択するデータ選択コマンドの入力手段と
を備えることを特徴とする請求項８に記載の組込基板のモニタ表示方法。
【請求項１１】
前記自己診断手段は、
前記動作状況のモニタデータを前記動作状況のモニタデータについて、正常レベルと、注意レベルおよび警報のレベルのアラームとに分類して所定の周期で出力し、
前記文字表示処理手段は、
前記正常レベルのモニタデータ、又は、前記注意レベルのアラームのモニタデータを受信した場合、所定の周期で前記メッセージの表示を更新し、
前記警報レベルの前記アラームのモニタデータを受信した場合、前記メッセージの表示の更新をしないで、最初に受信した前記警報レベルのアラームのモニタデータから生成したメッセージを保持して前記記憶表示することを特徴とする請求項８に記載の組込基板のモニタ表示方法。
【請求項１２】
シェルフに収納される組込基板のモニタ表示方法において、
前記組込基板は、
メモリと、自己診断手段と、文字表示処理手段と、文字表示手段と、記憶表示手段とを備え、
前記自己診断手段は、自基板の動作の自己診断を行い、前記メモリに前記動作のモニタデータを書き込み記憶すると共に、前記モニタデータを、正常レベルと、注意レベルおよび警報レベルのアラームとに分類して所定の周期で前記文字表示処理手段へ出力し、
前記出力されたモニタデータを受信する前記文字表示処理手段は、
前記メッセージの上書きモードと保持モードとのモード設定手段を有して各前記モニタデータを受信して短文のメッセージを生成し、
前記モード設定手段が前記保持モードに設定された場合は、前記出力された前記正常レベルのモニタデータ、又は、前記注意を要するレベルのアラームのモニタデータを受信した時、所定の周期で前記メッセージを更新して前記文字表示手段へ出力し、前記警報レベルのアラームのモニタデータを受信した時は、それ以降、前記メッセージを更新をしないで最初に受信した前記警報のアラームから生成したメッセージを保持して前記文字表示手段へ出力し、
前記モード設定手段が前記上書きモードに設定された場合は、順次前記出力された前記警報レベルのアラームのモニタデータを受信した時は、順次受信する前記警報レベルのアラームのモニタデータから順次更新されるメッセージを生成して前記文字表示手段へ出力し、
前記文字表示処理手段から前記出力されたメッセージを受信した前記文字表示手段は、前記シェルフに収容された状態で自基板の前面に前記受信したメッセージを表示し、
前記記憶表示手段は、バックアップ電源と記憶表示型の文字表示素子のうち少なくともいずれか１つを備えることにより、自基板へ電源が供給されなくなっても前記文字表示手段に前記表示された前記メッセージを記憶表示することを特徴とする組込型基板のモニタ表示方法。
【発明の詳細な説明】
【技術分野】
【０００１】
本発明は、シェルフに挿入して使用される組込型基板およびそのモニタ表示方法に関する。
【背景技術】
【０００２】
近来電気機器において、ＶＭＥ（Ｖｅｒｓａ  Ｍｏｄｕｌｅ  Ｅｕｒｏｐｉａｎ）、ＰＣＩ（Ｐｅｒｉｐｈｅｒａｌ  Ｃｏｍｐｏｎｅｎｔ  Ｉｎｔｅｒｃｏｎｎｅｃｔ）と呼ばれるようなボード規格に準拠した組込基板がある。これらの組込基板は、多機能であり、筐体や外部と標準化されたマザーボードを介して信号の入出力を行えるので産業計装システム、通信ネットワークシステム等の分野で多用されている。
【０００３】
図７は、従来の組込基板の機能ブロック図、図８は、その構造図の１例である。  
図７、図８において組込基板は、電子部品を搭載する主基板１００、パネル２００、バスコネクタ３００、バスＩ／Ｆ（インタフェース）３０１、信号処理等を行う機能回路部４００とからなる。パネル２００には、ＬＥＤ等の警報ランプ２０１、外部装置と信号を入出力するＩ／Ｏコネクタ２０２等が取り付けられている。Ｉ／Ｏコネクタ２０２は、例えば、イーサネット（登録商標）、ＵＳＢ（Ｕｎｉｖｅｒｓａｌ  Ｓｅｒｉａｌ  Ｂｕｓ）、ＳＣＳＩ（Ｓｍａｌｌ  Ｃｏｍｐｕｔｅｒ  Ｓｙｓｔｅｍ  Ｉｎｔｅｒｆａｃｅ）、アナログビデオ等の信号接続用のコネクタである。
【０００４】
バスコネクタ３００は、バスＩ／Ｆ３０１を介して機能回路部４００との間で、例えば、外部との自己診断監視制御信号、映像信号等の各種信号の入出力を行う。
【０００５】
主基板１００上には、機能回路部４００（複数の場合もある。）の一部として、更に拡張記憶、信号処理等を行う副基板４１０（複数の場合もある。）が実装されることもある。この場合、副基板４１０が外部と入出力する信号は、副基板４１０が特定の追加機能を処理するためパネル２００のＩ／Ｏコネクタ２０２によって入出力されることが多い。機能回路部４００は、内部バス等でそれぞれが接続されるバスＩ／Ｆ３０１、組込基板に個有の信号処理部４２０、信号処理部４２０および副基板４１０等の組込基板の構成の動作を監視して異常が有ると警報を生成して出力する自己診断部４３０、警報を受信して警報ランプ２０１を点灯させるためのランプドライバ４４０などが存在する。
【０００６】
この様な従来の組込基板では、動作状態の警報は、パネル２００上の警報ランプ２０１の点滅で警報の項目を判読するしかなかった。一部には、故障状況を発光ダイオード等による英数字で、例えば、「Ｅ１１」のような、コードで表示するものもあるが、コード表を参照しないと故障状況が判らず不便であり情報量も不十分である。
【０００７】
また、詳細な警報の内容および動作モニタは、自己診断部４３０より自己診断モニタデータが生成され、Ｉ／Ｏコネクタ２０２、又は、バスＩ／Ｆ３０１およびバスコネクタ３００を介して、外部に出力される。そして、保守監視用の端末（パソコンやワークステーション）を、点検用に設けられたＩ／Ｏコネクタ２０２で接続するか、又は、バスコネクタ３００を介して例えば、ＧＰ−ＩＢ（Ｇｅｎｅｒａｌ  Ｐｕｒｐｏｓｅ  Ｉｎｔｅｒｆａｃｅ  Ｂｕｓ）インタフェースで接続される開発ツールや測定器や保守端末等により自己診断モニタデータを読み出してモニタする。（例えば、非特許文献１。）。
【０００８】
そのため、開発ツールや保守端末を接続操作するが、モニタデータの読み出しの端末操作に専門知識や習熟を要するなど、操作性に乏しいものであった。
【特許文献１】モトローラ社ボードコンピュータオンラインカタログ（株）丸文ホームページhttp://www.marubun.co.jp/bcs/doc/pdfDataSheet/m5100.pdf
【発明の開示】
【発明が解決しようとする課題】
【０００９】
以上述べた様に、従来の組込用電子回路基板では、警報表示機能が不十分で、保守者が高い専門性を必要とすると共に迅速な対応が行えない問題があった。本発明は上記事情によりなされたもので、警報内容を基板前面から文字によるメッセージで判読出来、迅速な保守対応が可能な組込基板、およびそのモニタ表示方法を提供することを目的とする。
【課題を解決するための手段】
【００１０】
上記目的を達成するために、本発明の組込基板は、シェルフに収納される組込基板であって、前記組込基板は、メモリと、自基板の動作の自己診断を行い、前記動作のモニタデータを出力して前記メモリに書き込み記憶する自己診断手段と、前記モニタデータを受信して短文のメッセージを生成して出力する文字表示処理手段と、前記メッセージを受信して前記シェルフに収容された自基板の前面に表示する文字表示手段とを有することを特徴とする。
【００１１】
また、本発明の組込基板のモニタ表示方法は、シェルフに収納される組込基板のモニタ表示方法であって、前記組込基板は、メモリと、自己診断手段と、文字表示処理手段と、文字表示手段と、記憶表示手段とを備え、前記自己診断手段は、自基板の動作の自己診断を行い、前記動作のモニタデータを前記メモリに書き込み記憶するとともに文字表示処理手段へ出力し、文字表示処理手段は、前記モニタデータを受信して短文のメッセージを生成して文字表示手段へ出力し、前記組込基板が前記シェルフに収容された状態において前面に配置された文字表示手段は、前記出力されたメッセージを受信して前面へ表示し、自基板がバックアップ電源、又は、前記文字表示手段に記憶表示型の文字表示素子のうち少なくともいずれか１つを記憶表示手段として備え、自基板へ電源が供給されなくなっても、前記文字表示手段に表示される前記メッセージを記憶表示することを特徴とする。
【発明の効果】
【００１２】
本発明によれば、警報等のモニタ表示を文字メッセージにして前面パネルに表示することにより、専門性を持った保守者でなくても警報内容が容易に判読出来、迅速な保守対応が可能な組込基板が提供出来る。
【発明を実施するための最良の形態】
【００１３】
以下、図面を参照して本発明の実施例を説明する。
【実施例１】
【００１４】
図１は、本発明の実施例に係る組込基板の構造の概念図、図２は、同じく組込基板の機能ブロック図である。
【００１５】
以下、図１、図２により組込基板の構成と動作概要を説明する。
【００１６】
図１、図２において組込基板は、組込基板は、電子部品を搭載する主基板１、パネル２、バスコネクタ３、バスＩ／Ｆ（インタフェース）３１、機能回路部４とからなる。パネル２には、文字表示板（モジュール）２１、外部装置と信号を入出力するＩ／Ｏコネクタ２２、また、場合により点検入力部２３が取り付けられている。文字表示板２１は、組込基板の障害などの警報、および動作状態等に係わるショートメッセージの文字を表示する。このメッセージは、従来の単なる警報コード等により動作状態を示す警報表示に代わり言語化されているので、当該基板の保守に関する特有な知識を有さない操作員でも組込基板の動作状況が容易に、且つ速やかに把握できる。
【００１７】
Ｉ／Ｏコネクタ２２は、例えば、イーサネット（登録商標）、ＵＳＢ、ＳＣＳＩ、アナログビデオ等の信号接続用のコネクタである。なお、文字表示板２１とＩＯコネクタ２２の取り付け方法は、直接主基板１に直接取り付けられ、組込基板がシェルフに装着された場合、前面から監視又はアクセス出来るもので有れば、パネル２が省略されるものであってもよい。また、Ｉ／Ｏコネクタは、複数である場合、もしくは、省略されている場合もある。
【００１８】
点検入力部２３は、保守員が、メッセージの表示条件を設定するコマンドの入力手段であって、例えば、パネル２に取り付けられたボタン、スイッチ（図示せず）で入力する方法がある。また、別の方法として、Ｉ／Ｏコネクタ２２の１つ（図示せず。）を割り当てて、パーソナルコンピュータの様な情報端末、あるいは専用保守端末との間をシリアル接続し、所要のモニタデータを選択するコマンドの入力、もしくは文字によるコメントを入力するものであっても良い。また、更に他の方法として前記端末をバスコネクタ３を介してＧＰ―ＩＢインタフェースにより接続し、コマンドや文字によるコメントを入力するコマンド入力手段であってもよい。
【００１９】
バスコネクタ３は、バスＩ／Ｆ３１を介して機能回路部４との間で、例えば、外部との自己診断監視制御信号、映像信号等の各種信号の入出力を行う。
【００２０】
主基板１上には、機能回路部４の一部として更に付加的な信号処理回路として副基板４１が実装されることもある。この場合、副基板４１が外部と入出力する信号は、パネル２のＩ／Ｏコネクタ２２によって入出力されてもよい。機能回路部４は、内部バス等でそれぞれが接続されるバスＩ／Ｆ３１、組込基板に個有の信号処理部４２、内部に自己診断部４３１を有し、組込基板の動作制御を行う制御処理部４３、文字表示板２１のドライバである文字表示処理部４４、および内部メモリ４５などが存在する。また、１つの主基板上１に複数の機能回路部４、および副基板４１が設けられる場合もある。
【００２１】
機能回路部４の自己診断部４３１は、信号処理部４２はじめ、副基板４１等の機能回路部４の各部の動作、および入出力信号等をモニタし、そのモニタデータを内部バスを介して出力し内部メモリ４５に書き込み記憶すると共に、文字表示処理部４４に出力する。
【００２２】
文字表示処理部４４は、入力されたモニタデータ、又は、内部メモリ４５からモニタデータを読み出し、動作状況を表すメッセージと、そのメッセージを文字表示板２１が動作状況を表示するための文字コードを生成して文字表示板２１に出力し、文字表示板２１はそのメッセージを表示する。なお、モニタデータをメッセージにする処理は、制御部４３が行っても良いが、以下、メッセージにする処理はメッセージにする処理は文字処理部４４が代表して行うものとして説明する。
【００２３】
また、文字表示処理部４４は、組込基板に供給される電源が停電、又は切断されても文字表示板２１が表示するメッセージが保持されるようバックアップ電池（図示せず。）が組込まれる。内部メモリ４５も同様にバックアップ電池が組み込まれるか、又は不揮発性メモリにより構成され記憶モニタデータは、電源断の状態でも保持される。
【００２４】
文字表示板２１は、数文字から十数文字程度の文字を表示する表示デバイス（表示素子）である。同じく文字表示板２１も、電源が切断状態であってもメッセージ表示を保持（記憶表示）できるよう、バックアップ電池（図示せず。）に接続されるか、又は、コレステリック液晶の様な記憶型表示素子を用いたものである。
【００２５】
文字表示板２１に用いる記憶型表示素子が用いられる場合、文字表示処理部４４、および内部メモリ４５が電源が切断状態の時にバックアップされないものであっても電源断直前のメッセージの表示が文字表示板２１で保持される組込基板は、本発明の適用対象となる。
【００２６】
この様に本実施例では、シェルフに装着された状態であっても警報のメッセージがシェルフ（組込基板）の前面から判読できるので、迅速、且つ容易に組込基板の動作状況や障害が把握出来る。また、電源が切断状態でも基板の動作状態を示すメッセージが継続して文字表示板２１に記憶表示されることから、更に障害が発生した組込基板をシェルフから取り外しても、その状況、又は、自己診断結果を文字表示板２１から直接判読出来る。
【００２７】
従って、組込基板が修理部門へ返送される場合でも修理部門では、当該基板の状況把握が容易、速やかに出来るのみならず、修理タグ等が紛失しても障害状況を知ることが出来る。また、保守員によって保守入力部２３から警報情報選択コマンドが入力されると内部メモリ４５に記憶されたモニタデータや警報のメッセージを文字表示板２１に記憶表示することが出来る。
【００２８】
なお、記憶表示とは、単に表示する内容が不揮発性メモリ等に記憶保持され、別途その記憶されたモニタデータを読出して表示する場合と、電源が切断されても表示デバイスが表示する文字等のメッセージがそのまま保持される場合の二つの意味が有るが、ここでは断らない限り後者を意味する。
【００２９】
図３は、本実施例における警報の表示処理動作の手順を示すフローチャートである。  
以下、図３により組込基板の表示処理動作手順の概要を説明する。  
自己診断部４３１が監視する監視項目は、予め初期設定されており、副基板４１が取り付けられたものについても同様に監視項目や内容を追加して初期設定されている（ステップｓ１）。
【００３０】
制御部４３からの制御に従って自己診断部４３１は、内部バスを介して信号処理部４２、副基板４１、及びＩ／Ｏコネクタ２２とバスコネクタ３との間で入出力する信号および、各構成の動作状況の監視を行う（ステップｓ２）。そして自己診断部４３１は、内部メモリ４５に監視した動作状況のモニタデータを書き込み記憶すると共に、監視モニタデータを所定の周期で文字表示処理部４４へ出力する（ステップｓ３）。文字表示処理部４４は入力されたモニタデータを短文のメッセージにして文字表示板２１に出力し、文字表示板２１は、メッセージを表示する（ステップｓ４）。
【００３１】
図４は、文字表示部２１が表示するメッセージのディスプレイの表示形式の例を示す図である。  
図４（ａ）、（ｂ）は、複数の項目を自己診断部４３１が監視して出力しているモニタデータが正常な時のメッセージを順番に１つずつ表示する場合の例であって、図４（ａ）は、監視項目の略称とモニタデータ「Ａｃｈ受信レベル  ―４０ｄｂｍ」、図４（ｂ）は、同様に「ＢｃｈＳ／Ｎ  ５０ｄｂ」である。図４（ｃ）は、複数のモニタデータ全てに異常が認められない場合、全項目を総合したメッセージ「異常なし」が表示される例である。また、図４（ｄ）〜（ｆ）は、後述のアラームが「注意」、又は、「警報」のアラームにおけるメッセージの例で、例えば、「Ａｃｈ受信レベル低下−６ｄｂ」の文字の明暗を高速で交互反転して表示される場合の例である。また、アラームが「警報」のメッセージが記憶表示される場合、この交互反転は行われずに、例えば、文字の明暗が反転のままでメッセージが表示される。
【００３２】
図４（ｇ）は、後で説明されるコメントのメッセージの表示例で、保守員によって入力されたコメント「同期レンジせまい」が表示される。また、コメントの場合、メッセージ文字数は、文字表示板２１が表示できる最大文字数に制限されず、先頭文のみが表示されるものであっても良い。（例えば、「同期レンジ範囲せまい」のみ表示され、続く「周囲温度の影響大きく動作不安定」を修理側の保守端末からのコマンドで表示、又は保守端末のディスプレイで表示して判読するものであっても良い。）。
【００３３】
動作状況のメッセージの表示は、入力されたモニタデータが正常で有る場合（ステップｓ５がＹｅｓ）、例えば、図４（ａ）の表示が「Ａｃｈ受信レベル  ―４０ｄｂｍ」から初期設定で定められた他の監視項目のモニタデータ、「ＢｃｈＳ／Ｎ  ５０ｄｂ」の様に所定の間隔（例えば５秒間隔）で更新される。一方、監視中に異常が発見された場合（ステップｓ５がＮｏ）、自己診断部４３１により異常なモニタデータは、「注意」を喚起するレベルと、処置を要する「警報」のレベルに分類され（ステップｓ５−１）、アラームのモニタデータが文字表示処理部４４へ出力される。文字表示処理部４４は、入力されたモニタデータが「注意」（ステップｓ６がＮｏ）で有る場合は、その監視項目についてのアラームのメッセージを正常時と同様に所定の更新タイミングで更新表示する（ステップｓ５−２）。しかし、アラームが「警報」（ステップｓ６がＹｅｓ）である場合、例えば図４（ｄ）の「Ａｃｈ受信レベル低下−６ｄｂ」メッセージは、一度表示されると、更新されずに保持（記憶表示）される（ステップｓ７）。
【００３４】
図５は、図３におけるステップｓ７の表示処理部４４の動作の詳細手順を説明するフローチャートである。以下、図５により「警報」のメッセージの表示処理について詳細手順を説明する。
【００３５】
「警報」が発生する（図３におけるステップｓ６がＹｅｓの場合）と、保守者は、「警報」のメッセージを判読して更に詳細なモニタデータ、又は、記録されたモニタデータが必要で有れば（ステップｓ８がＹｅｓ）、点検入力部２３から、例えば、Ｉ／Ｏコネクタ部２２を介して接続されたパーソナルコンピュータにより組込基板の警報情報選択のコマンド、例えば「ＤＳ」を入力する（ステップｓ９）。
【００３６】
なお、「警報」が発生した場合、保守者に警報を通知するために、文字表示板２１で「警報」のメッセージを表示する他に、例えば、組込基板に取り付けられたブザー（図示せず）等が鳴動するか、又は、内部バス、バスコネクタを介して、組込基板を組み込むシェルフ等に取り付けられたブザーや警報ランプ（図示せず）がアラーム表示するものであっても良いことは言うまでもない。
【００３７】
そして、警報情報選択のコマンドが入力されると表示処理部４４は、自己診断部４３１から組込基板の細部のモニタデータ、または、内部メモリ４５に記憶されたモニタデータ等、例えば、図４（ｂ）の「ＢｃｈＳ／Ｎ  ５０ｄｂ」を読出し、順次モニタデータ、又はメッセージを文字表示パネル２１に表示させる（ステップｓ１０）。そして、保守者によって文字表示パネル２１が継続して記憶表示するのに最も的確なモニタデータ、又はメッセージを選択するコマンド、例えば、「ＤＴ」が、そのメッセージの表示中に点検入力部２３から入力されると（ステップｓ１１）、文字表示板２１が選択されたモニタデータ、又はメッセージ、例えば、図４（ｅ）の「同期はずれ」を記憶表示した状態にする（ステップｓ１２）。
【００３８】
さらに修理部門へ当該基板を送る場合、以下の手順を実施する。
【００３９】
即ち、警報を判読した保守者が、組込基板を編集修理すると判断した場合（ステップｓ１３がＹｅｓ）、保守者がコメントを記憶表示させたいとして点検入力部２３に接続されたパーソナルコンピュータ等の端末からコメント入力のコマンド、例えば、「ＣＭ」、およびコメントの文字メッセージ「同期レンジせまい」が入力された場合（ステップｓ１４がＹｅｓ）、文字表示部４４は、文字表示板２１をそのコメントの文字メッセージを記憶表示した状態、図４（ｅ）の「同期レンジせまい」にして（ステップｓ１５）当該組込基板を修理部門へ発送される（ステップｓ１６）。
【００４０】
一方、コメントが不要な場合（ステップｓ１４がＮｏ）は、文字表示板２１に記憶表示されたメッセージをそのまま、図４（ｅ）の「同期はずれ」にして返送する（ステップｓ１６）。
【００４１】
この様に、内部メモリ４５に記憶されたモニタデータのうち、修理側で必要なモニタデータを記憶表示させることにより、修理側では障害箇所を検出する故障分離に要する時間を節約する効果がある。
【００４２】
なお、ステップｓ７におけるメッセージの記憶表示は、電源が切断（オフ）状態でも電源断直前に表示されていたメッセージが記憶表示され保守員が警報等のメッセージを判読出来る様になっている。特に文字表示板２１に記憶表示型素子を使用していれば、停電で文字表示処理部４４、および内部メモリ４５がバックアップされなくても停電時のメッセージがそのまま表示される効果がある。
【実施例２】
【００４３】
一方、文字表示処理部４４、および内部メモリ４５がバックアップされる場合でも、文字表示処理部４１は警報を受信するとその警報のメッセージ「Ａｃｈ受信レベル低下−６ｄｂ」を更新せずに保持し続ける。そこで実施例２として、電源が供給され当該基板が動作を継続している場合に、新たな警報を受信した場合、ステップｓ７におけるメッセージの記憶表示は新たな警報が入力されるとその警報が上書きされるモードか、それとも最初の警報をそのまま保持して表示し続ける保持モードかを選択出来るようにしても良い。その方法は、点検入力部２３からコマンドで設定し、例えば、図示しない表示選択スイッチにより、上書き／保持の設定を行う。
【００４４】
図６は、実施例２における組込基板の表示処理動作手順のフローチャートである。  
図６は、図１のフローチャートにステップｓ６−１、ステップｓ７−１が追加されている以外は図１と同じである。
【００４５】
図６において、上書きモードの場合（ステップｓ６−１がＹｅｓ）、文字表示部４４は、所定の周期でメッセージを更新して最新の警報のメッセージ、例えば、図４（ｆ）の「Ａｃｈ  出力ＯＦＦ」を表示する（ステップｓ７−１）。そして、保守員から警報情報選択のコマンドが入力されると文字表示部４４は、警報が発生した以前のモニタデータ、例えば、「Ａｃｈ受信レベル低下−６ｄｂ」を内部メモリ４５から読み出して文字表示板２１へ表示することができる。
【００４６】
一方、保持モードの場合（ステップｓ６−１がＮｏ）には、実施例１と同様に警報が発生した時点の警報メッセージ「Ａｃｈ受信レベル低下−６ｄｂ」を保持して表示する（ステップｓ７）。
【００４７】
以上説明した如く本発明によれば、組込基板の文字表示板２１に記憶表示機能を持たせることにより、修理側でも容易に障害状況を文字表示板２１が表示するメッセージから迅速に読み取ることが出来、且つ、修理タグ等が紛失しても障害状況を把握することが出来る。また、警報のみならず、各種のモニタデータを障害発見時に保守者がコメントを文字表示板に記憶表示させることができるので、修理側で測定器等を用いて返送修理された組込基板の故障分離を行う作業を軽減することが出来、迅速な保守対応が可能になる。
【図面の簡単な説明】
【００４８】
【図１】本発明の実施例に係わる組込基板の構造の概念図。
【図２】本発明の実施例に係わる組込基板の機能ブロック図。
【図３】本発明の実施例に係わる組込基板の表示処理動作の手順のフローチャート。
【図４】文字表示板が表示するメッセージの例。
【図５】表示処理部における警報の表示処理動作の手順のフローチャート。
【図６】本発明の実施例２に係わる組込基板の表示処理動作の手順のフローチャート。
【図７】従来の組込基板の構造の概念図。
【図８】従来の組込基板の機能ブロック図。
【符号の説明】
【００４９】
１  主基板
２  パネル
２１  文字表示板
２２  Ｉ／Ｏコネクタ
２３  点検入力部
３  バスコネクタ
３１  バスＩ／Ｆ
４  機能回路部
４１  副基板
４２  信号処理部
４３  制御処理部
４３１  自己診断部
４４  文字表示処理部
４５  内部メモリ
【図１】
2006053699.tif 000003
【図２】
2006053699.tif 000004
【図３】
2006053699.tif 000005
【図４】
2006053699.tif 000006
【図５】
2006053699.tif 000007
【図６】
2006053699.tif 000008
【図７】
2006053699.tif 000009
【図８】
2006053699.tif 000010